(57)【要約】【課題】情報機器収納キャビネットに熱交換器が装着されることにより、冷却性能を高めることができる冷却システムを有する情報機器収納キャビネットを提供する。【解決手段】冷却システムを有する情報機器収納キャビネット１は、前方部２１及び後方部２２を含み、空気入口２１１及び空気出口２２１が画定されるフレーム２と、フレーム２に装着され、前方部２１と後方部２２との間に位置する少なくとも１つの情報機器装着フレーム３と、フレーム２に装着され、前方部２１と後方部２２との間に位置し、空気入口２１１から、少なくとも１つの情報機器を経由し、空気出口２２１に空気を流通させる少なくとも１つの空気導入装置４と、前方部２１及び後方部２２のいずれか一方に装着され、冷却液体入口５１及び冷却液体出口５２を含む熱交換器５とを備える。【選択図】図２
0003166395.tif 000002
【実用新案登録請求の範囲】
【請求項１】
前方部及び後方部を含み、空気入口及び空気出口が画定されるフレームと、
前記フレームに装着され、前記前方部と前記後方部との間に位置する少なくとも１つの情報機器装着フレームと、
前記フレームに装着され、前記前方部と前記後方部との間に位置し、前記空気入口から、前記少なくとも１つの情報機器を経由し、前記空気出口に空気を流通させる少なくとも１つの空気導入装置と、
前記前方部及び前記後方部のいずれか一方に装着され、冷却液体入口及び冷却液体出口を含む熱交換器と、を備えることを特徴とする冷却システムを有する情報機器収納キャビネット。
【請求項２】
冷却液体入口が、フレームの上方に位置する請求項１に記載の冷却システムを有する情報機器収納キャビネット。
【請求項３】
熱交換器が、複数の熱交換部を有する請求項１に記載の冷却システムを有する情報機器収納キャビネット。
【請求項４】
熱交換器が、筐体を介し、前方部及び後方部のいずれか一方に枢着される請求項１に記載の冷却システムを有する情報機器収納キャビネット。
【請求項５】
少なくとも１つの空気導入装置の位置が、少なくとも１つの情報機器装着フレームの位置に対応する請求項１に記載の冷却システムを有する情報機器収納キャビネット。
【請求項６】
空気入口が、前方部に画定され、空気出口が、後方部に画定される請求項１に記載の冷却システムを有する情報機器収納キャビネット。
【請求項７】
熱交換器が気液熱交換器である請求項１に記載の冷却システムを有する情報機器収納キャビネット。
【請求項８】
少なくとも１つの空気導入装置が、ファンである請求項１に記載の冷却システムを有する情報機器収納キャビネット。
【請求項９】
少なくとも１つの情報機器装着フレームには、サーバが装着される請求項１に記載の冷却システムを有する情報機器収納キャビネット。
【請求項１０】
フレームに装着されるセンサを更に備える請求項１に記載の冷却システムを有する情報機器収納キャビネット。
【請求項１１】
センサが温度センサである請求項１０に記載の冷却システムを有する情報機器収納キャビネット。
【請求項１２】
センサが圧力センサである請求項１０に記載の冷却システムを有する情報機器収納キャビネット。
【請求項１３】
前方部及び後方部のいずれか他方に装着される他の熱交換器を更に備え、前記他の熱交換器が、他の冷却液体入口及び他の冷却液体出口を有する請求項１に記載の冷却システムを有する情報機器収納キャビネット。
【請求項１４】
他の冷却液体入口が、フレームの上方に位置する請求項１３に記載の冷却システムを有する情報機器収納キャビネット。
【請求項１５】
他の熱交換器が、複数の他の熱交換部を有する請求項１３に記載の冷却システムを有する情報機器収納キャビネット。
【請求項１６】
他の熱交換器が、他の筐体を介し、前方部及び後方部のいずれか他方に装着される請求項１３に記載の冷却システムを有する情報機器収納キャビネット。
【考案の詳細な説明】
【技術分野】
【０００１】
本考案は、冷却システムを有する情報機器収納キャビネットに関し、特に、冷却性能を高めることができる冷却システムを有する情報機器収納キャビネットに関する。
【背景技術】
【０００２】
情報機器収納キャビネットに装着された複数のサーバがそれぞれ稼動しているとき、各サーバからは、熱が発生する。このため、一般の情報機器（電子製品）と同様に、適当な放熱（冷却）システムにより、サーバの放熱を行い、過熱による故障を防止する必要がある。
【０００３】
図１を参照する。図１に示すように、従来の情報機器収納キャビネット９には、複数の情報機器（例えば、サーバ）９１が装着される。各情報機器９１は、例えば、引き出し方式により、情報機器収納キャビネット９にスライド可能に装着される。また、各情報機器９１には、ファン９２が対応して配置される。これにより、情報機器９１が稼動しているとき、ファン９２が気流を発生させ（矢印に示す）、情報機器９１に対して放熱を行う。
【０００４】
また、一般に、情報機器収納キャビネット９は、室内（図示せず）に配置されるため、ファン９２によって情報機器９１の放熱を行うとき、室内の環境温度が徐々に上昇してしまう。これにより、情報機器収納キャビネット９の放熱機能が徐々に低下してしまうという課題があった。
【考案の概要】
【考案が解決しようとする課題】
【０００５】
本考案の目的は、情報機器収納キャビネットに熱交換器が装着されることにより、冷却性能を高めることができる冷却システムを有する情報機器収納キャビネットを提供することにある。
【課題を解決するための手段】
【０００６】
前記課題を解決するために、本考案の第１の形態によれば、前方部及び後方部を含み、空気入口及び空気出口が画定されるフレームと、前記フレームに装着され、前記前方部と前記後方部との間に位置する少なくとも１つの情報機器装着フレームと、前記フレームに装着され、前記前方部と前記後方部との間に位置し、前記空気入口から、前記少なくとも１つの情報機器を経由し、前記空気出口に空気を流通させる少なくとも１つの空気導入装置と、前記前方部及び前記後方部のいずれか一方に装着され、冷却液体入口及び冷却液体出口を含む熱交換器と、を備える冷却システムを有する情報機器収納キャビネットが提供される。
【０００７】
また、前記冷却液体入口は、前記フレームの上方に位置することが好ましい。
【０００８】
また、前記熱交換器は、複数の熱交換部を有することが好ましい。
【０００９】
また、前記熱交換器は、筐体を介し、前記前方部及び前記後方部のいずれか一方に枢着されることが好ましい。
【００１０】
また、前記少なくとも１つの空気導入装置の位置は、前記少なくとも１つの情報機器装着フレームの位置に対応することが好ましい。
【００１１】
また、前記空気入口は、前記前方部に画定され、前記空気出口は、前記後方部に画定されることが好ましい。
【００１２】
また、前記熱交換器は気液熱交換器であることが好ましい。
【００１３】
また、前記少なくとも１つの空気導入装置は、ファンであることが好ましい。
【００１４】
また、前記少なくとも１つの情報機器装着フレームには、サーバが装着されることが好ましい。
【００１５】
また、前記フレームに装着されるセンサを更に備えることが好ましい。
【００１６】
また、前記センサは温度センサであることが好ましい。
【００１７】
また、前記センサは圧力センサであることが好ましい。
【００１８】
また、前記前方部及び前記後方部のいずれか他方に装着される他の熱交換器を更に備え、前記他の熱交換器は、他の冷却液体入口及び他の冷却液体出口を有することが好ましい。
【００１９】
また、前記他の冷却液体入口は、前記フレームの上方に位置することが好ましい。
【００２０】
また、前記他の熱交換器は、複数の他の熱交換部を有することが好ましい。
【００２１】
また、前記他の熱交換器は、他の筐体を介し、前記前方部及び前記後方部のいずれか他方に装着されることが好ましい。
【考案の効果】
【００２２】
本考案の冷却システムを有する情報機器収納キャビネットは、情報機器収納キャビネットに熱交換器が装着されることにより、冷却性能を高めることができる。
【図面の簡単な説明】
【００２３】
【図１】図１は、従来の情報機器収納キャビネットを示す断面図である。
【図２】図２は、本考案の第１実施形態による情報機器収納キャビネットを示す断面図である。
【図３】図３は、本考案の第１実施形態による情報機器収納キャビネットを示す平面図である。
【図４】図４は、本考案の第１実施形態による情報機器収納キャビネットを示す斜視図である。
【図５】図５は、本考案の第１実施形態による情報機器収納キャビネットを示す正面図である。
【図６】図６は、本考案の第２実施形態による情報機器収納キャビネットを示す断面図である。
【図７】図７は、本考案の第２実施形態による情報機器収納キャビネットを示す平面図である。
【図８】図８は、本考案の第３実施形態による情報機器収納キャビネットを示す断面図である。
【図９】図９は、本考案の第３実施形態による情報機器収納キャビネットを示す平面図である。
【図１０】図１０は、本考案の第４実施形態による情報機器収納キャビネットを示す断面図である。
【考案を実施するための形態】
【００２４】
以下、本考案の実施形態について図面に基づいて説明する。なお、これによって本考案が限定されるものではない。
【００２５】
（第１実施形態）
図２〜図５を参照する。図２〜図５に示すように、本考案の第１実施形態による情報機器収納キャビネット１は、フレーム２、複数の情報機器装着フレーム３、複数の空気導入装置４及び熱交換器５を含む。
【００２６】
図２〜図５に示す本考案の第１実施形態による情報機器収納キャビネット１において、フレーム２は、前方部２１及び後方部２２を含む。また、フレーム２には、空気入口２１１及び空気出口２２１が画定される。本考案の第１実施形態において、空気入口２１１は、前方部２１に画定され、空気出口２２１は、後方部２２に画定される。
【００２７】
図２〜図５に示す本考案の第１実施形態による情報機器収納キャビネット１において、複数の情報機器装着フレーム３には、サーバ３１がそれぞれ装着される。また、各情報機器装着フレーム３は、引き出し方式（図３参照）により、フレーム２に縦向きに配列されてスライド可能に装着される。各情報機器装着フレーム３は、フレーム２の前方部２１と後方部２２との間に位置する。当然、情報機器装着フレーム３は、例えば、ねじによる螺着（図示せず）など、他の方式により、フレーム２に装着してもよい。
【００２８】
図２〜図５に示す本考案の第１実施形態による情報機器収納キャビネット１において、複数の空気導入装置４は、ファンである。また、各空気導入装置４は、フレーム２に縦向きに配列されて装着される。各空気導入装置４は、フレーム２の前方部２１と後方部２２との間に位置する。各空気導入装置４の位置は、各情報機器装着フレーム３の位置にそれぞれ対応する。また、各空気導入装置４は、空気入口２１１から、各情報機器装着フレーム３を経由し、空気出口２２１に空気を流通させる（図２の矢印参照）。
【００２９】
図２〜図５に示す本考案の第１実施形態による情報機器収納キャビネット１において、熱交換器５は、気液熱交換器（ａｉｒ  ｔｏ  ｌｉｑｕｉｄ  ｈｅａｔ  ｅｘｃｈａｎｇｅｒ）である。当然、例えば、液気熱交換器（ｌｉｑｕｉｄ  ｔｏ  ａｉｒ  ｈｅａｔ  ｅｘｃｈａｎｇｅｒ）などの他の熱交換器でもよい。また、熱交換器５は、筐体５４を介し、前方部２１に枢着される。また、熱交換器５は、冷却液体入口５１及び冷却液体出口５２を含む。冷却液体入口５１及び冷却液体出口５２は、フレーム２の下方にそれぞれ配置される。また、熱交換器５は、複数の熱交換部５３を含む（図５参照）。
【００３０】
上述の構造により、各空気導入装置４は、空気入口２１１から、各情報機器装着フレーム３（及び各情報機器装着フレーム３に装着されたサーバ３１）を経由し、空気出口２２１に空気を流通させることができる。また、気流は、熱交換器５を通過するとき、冷却液体入口５１から流入され（図２の矢印参照）、冷却液体出口５２から排出される（図２の矢印参照）冷却液体によって熱交換される。これにより、放熱性能が高められる。即ち、本考案の第１実施形態による情報機器収納キャビネット１は、情報機器収納キャビネット１に装着される熱交換器５により、冷却性能が高められる。
【００３１】
（第２実施形態）
図６及び図７を参照する。図６及び図７に示すように、本考案の第２実施形態による冷却システムを有する情報機器収納キャビネットの主な構造は、上述の第１実施形態による冷却システムを有する情報機器収納キャビネット１と同一である。本考案の第２実施形態による冷却システムを有する情報機器収納キャビネットは、熱交換器５０１が筐体５０２を介し、フレーム５０３の後方部５０４に枢着される点が第１実施形態による冷却システムを有する情報機器収納キャビネット１と異なる。しかし、本考案の第２実施形態による冷却システムを有する情報機器収納キャビネットは、上述の第１実施形態による冷却システムを有する情報機器収納キャビネット１と同一の各種機能を有する。
【００３２】
（第３実施形態）
図８及び図９を参照する。図８及び図９に示すように、本考案の第３実施形態による冷却システムを有する情報機器収納キャビネットの主な構造は、上述の第１実施形態及び第２実施形態による冷却システムを有する情報機器収納キャビネットと同一である。本考案の第３実施形態による冷却システムを有する情報機器収納キャビネットは、フレーム５２１の前方部５２２及び後方部５２３に熱交換器５１１，５３１が装着される点が上述の第１実施形態及び第２実施形態による冷却システムを有する情報機器収納キャビネットと異なる。即ち、熱交換器５１１は、筐体５１２を介し、フレーム５２１の前方部５２２に枢着される。また、熱交換器５１１は、冷却液体入口５１３及び冷却液体出口５１４を有する。他の熱交換器５３１は、他の筐体５３２を介し、フレーム５２１の後方部５２３に枢着される。また、他の熱交換器５３１は、他の冷却液体入口５３３及び他の冷却液体出口５３４を有する。
【００３３】
本考案の第３実施形態による冷却システムを有する情報機器収納キャビネットは、上述の第１実施形態及び第２実施形態による冷却システムを有する情報機器収納キャビネットと同一の各種機能を有する。ここで、熱交換器５１１及び他の熱交換器５３１は、いずれも、複数の熱交換部を有してもよい（図５参照）。
【００３４】
（第４実施形態）
図１０を参照する。図１０に示すように、本考案の第４実施形態による冷却システムを有する情報機器収納キャビネットの主な構造は、上述の第１実施形態〜第３実施形態による冷却システムを有する情報機器収納キャビネットと同一である。本考案の第４実施形態による冷却システムを有する情報機器収納キャビネットは、熱交換器５４１の冷却液体入口５４２及び冷却液体出口５４３がフレーム５５１の上方に位置する点が上述の第１実施形態〜第３実施形態による冷却システムを有する情報機器収納キャビネットと異なる。同様に、他の熱交換器５６１の他の冷却液体入口５６２及び他の冷却液体出口５６３もフレーム５５１の上方に位置する。本考案の第４実施形態による冷却システムを有する情報機器収納キャビネットは、上述の第１実施形態〜第３実施形態による冷却システムを有する情報機器収納キャビネットと同一の各種機能を有する。更に、本考案の第４実施形態による冷却システムを有する情報機器収納キャビネットは、フレーム５５１上方に位置する冷却液体入口５４２、冷却液体出口５４３、他の冷却液体入口５６２及び他の冷却液体出口５６３の配置態様により、熱交換器５４１及び他の熱交換器５６１の放熱面積を増大させることができる。実験の結果、Ｕ値を約６高められることがわかった。その理由として、フレーム５５１の上方に多くの空間があるため、放熱面積を占有する冷却液体入口５４２、冷却液体出口５４３、他の冷却液体入口５６２、及び他の冷却液体出口５６３の取付部材（例えば、クイックコネクタ）を収納できることが挙げられる。
【００３５】
ここで、図１０に示すように、冷却液体入口５４２、冷却液体出口５４３、他の冷却液体入口５６２及び他の冷却液体出口５６３は、いずれもフレーム５５１の上方に位置するが、必要に応じ、フレーム５５１の上方及び下方に分けて装着してもよい。
【００３６】
また、本考案の第４実施形態による情報機器収納キャビネットにおいて、フレーム５５１上には、例えば、温度センサ５７１及び圧力センサ５７２などのセンサ５７が装着されることにより、熱交換器５４１及び他の熱交換器５６１の稼動状態が監視される。
【００３７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３８】
１      情報機器収納キャビネット
２      フレーム
３      情報機器装着フレーム
４      空気導入装置
５      熱交換器
９      情報機器収納キャビネット
２１      前方部
２２      後方部
３１      サーバ
５１      冷却液体入口
５２      冷却液体出口
５３      熱交換部
５４      筐体
５７      センサ
９１      情報機器
９２      ファン
２１１      空気入口
２２１      空気出口
５０１      熱交換器
５０２      筐体
５０３      フレーム
５０４      後方部
５１１      熱交換器
５１２      筐体
５１３      冷却液体入口
５１４      冷却液体出口
５２１      フレーム
５２２      前方部
５２３      後方部
５３１      他の熱交換器
５３２      他の筐体
５３３      他の冷却液体入口
５３４      他の冷却液体出口
５４１      熱交換器
５４２      冷却液体入口
５４３      冷却液体出口
５５１      フレーム
５６１      他の熱交換器
５６２      他の冷却液体入口
５６３      他の冷却液体出口
５７１      温度センサ
５７２      圧力センサ
【図１】
0003166395.tif 000003
【図２】
0003166395.tif 000004
【図３】
0003166395.tif 000005
【図４】
0003166395.tif 000006
【図５】
0003166395.tif 000007
【図６】
0003166395.tif 000008
【図７】
0003166395.tif 000009
【図８】
0003166395.tif 000010
【図９】
0003166395.tif 000011
【図１０】
0003166395.tif 000012